(57)【要約】【課題】アナログ映像信号からデータドライバに入力される信号とアドレスドライバに入力される信号とを生成する手段を１つの信号処理ＩＣの内部に集積化して小型化する場合において、映像信号のＳ／Ｎ比の劣化を防止する。【解決手段】基板６における信号処理ＩＣ２の搭載位置を挟んで位置する２つのエリアの一方のエリア６１は、アナログ信号経路を形成するパターンの主要部と前記経路を形成する素子の主要部とが設けられたエリアとなっており、他方のエリア６２は、信号処理ＩＣ２から出力されるデータドライバ用信号とアドレスドライバ用信号とを出力端子６０２，６０３に導く経路を形成するパターンの主要部と前記経路を形成する素子の主要部とが設けられたエリアとなっている。【選択図】  図１
2005227307.tif 000002
【特許請求の範囲】
【請求項１】
画素電極と画素電極に対応する薄膜トランジスタとが形成されたガラス基板を有する液晶表示パネルと、
ソースドライバ用信号に基づいて液晶表示パネルのソース線を駆動するソースドライバと、
ゲートドライバ用信号に基づいて液晶表示パネルのゲート線を駆動するゲートドライバと、
映像信号からソースドライバ用信号とゲートドライバ用信号とを生成する表示信号処理部と、
映像信号が入力される映像信号入力端子と、ソースドライバ用信号とゲートドライバ用信号とが出力されるドライバ用信号出力端子とが設けられた主プリント配線基板とを備え、
映像信号入力端子に入力される映像信号はアナログ映像信号となっており、ドライバ用信号出力端子から出力されるソースドライバ用信号とゲートドライバ用信号とはデジタル信号となっており、
ソースドライバとゲートドライバとは主プリント配線基板とは異なる基板に設けられた液晶表示装置において、
一方の端部がドライバ用信号出力端子に接続された伝送用フレキシブル基板と、
非フレキシブル材からなり、伝送用フレキシブル基板の他方の端部が接続された分配用プリント配線基板とを備え、
表示信号処理部は主プリント配線基板に搭載された１つの信号処理ＩＣの内部に集積化され、
主プリント配線基板における信号処理ＩＣの搭載位置を挟んで位置する２つのエリアの一方は、映像信号入力端子に入力された映像信号を信号処理ＩＣに導くアナログ信号経路を形成するプリント配線パターンの主要部と前記アナログ信号経路を形成する素子の主要部とが設けられたアナログ用エリアとなっており、前記２つのエリアの他方は、信号処理ＩＣから出力されるソースドライバ用信号とゲートドライバ用信号とをドライバ用信号出力端子に導くデジタル信号経路を形成するプリント配線パターンの主要部と前記デジタル信号経路を形成する素子の主要部とが設けられたデジタル用エリアとなっており、
ドライバ用信号出力端子から出力されたソースドライバ用信号は、伝送用フレキシブル基板と分配用プリント配線基板とを介してソースドライバに導かれ、
ドライバ用信号出力端子から出力されたゲートドライバ用信号は、伝送用フレキシブル基板と分配用プリント配線基板とを介してゲートドライバに導かれていることを特徴とする液晶表示装置。
【請求項２】
画素電極と画素電極に対応する薄膜トランジスタとが形成されたガラス基板を有する液晶表示パネルと、
データドライバ用信号に基づいて液晶表示パネルのＸ方向に並ぶデータ線を駆動するデータドライバと、
アドレスドライバ用信号に基づいて液晶表示パネルのＹ方向に並ぶアドレス線を駆動するアドレスドライバと、
映像信号からデータドライバ用信号とアドレスドライバ用信号とを生成する表示信号処理部と、
映像信号が入力される映像信号入力端子と、データドライバ用信号とアドレスドライバ用信号とが出力されるドライバ用信号出力端子とが設けられた主プリント配線基板とを備え、
映像信号入力端子に入力される映像信号はアナログ映像信号となっており、ドライバ用信号出力端子から出力されるデータドライバ用信号とアドレスドライバ用信号とはデジタル信号となっており、
データドライバとアドレスドライバとは主プリント配線基板とは異なる基板に設けられた液晶表示装置において、
表示信号処理部は主プリント配線基板に搭載された１つの信号処理ＩＣの内部に集積化され、
主プリント配線基板における信号処理ＩＣの搭載位置を挟んで位置する２つのエリアの一方は、映像信号入力端子に入力された映像信号を信号処理ＩＣに導くアナログ信号経路を形成するプリント配線パターンの主要部と前記アナログ信号経路を形成する素子の主要部とが設けられたアナログ用エリアとなっており、前記２つのエリアの他方は、信号処理ＩＣから出力されるデータドライバ用信号とアドレスドライバ用信号とをドライバ用信号出力端子に導くデジタル信号経路を形成するプリント配線パターンの主要部と前記デジタル信号経路を形成する素子の主要部とが設けられたデジタル用エリアとなっていることを特徴とする液晶表示装置。
【発明の詳細な説明】
【技術分野】
【０００１】
本発明は、データドライバ用信号に基づいて、液晶表示パネルのデータ線（ソース線）を駆動するデータ（ソース）ドライバと、アドレスドライバ用信号に基づいて、液晶表示パネルのアドレス線（ゲート線）を駆動するアドレス（ゲート）ドライバと、アナログ映像信号からデータドライバ用信号とアドレスドライバ用信号とを生成する手段とを備えた液晶表示装置に係り、より詳細には、アナログ映像信号からデータドライバ用信号とアドレスドライバ用信号とを生成する手段が１つのＩＣの内部に集積化された液晶表示装置に関するものである。
【背景技術】
【０００２】
アクティブマトリクス型の表示パネルを用いる液晶表示装置においては、図５に示したように、入力される複数種のアナログ映像信号２５から、入力切換部２０１を用いて１種類のアナログ映像信号を選択し、Ａ／Ｄ変換部２０２を用いてデジタル信号に変換している。そして後、ＴＶ信号処理部２０３を用いることによって、３つの原色色信号に変換している。次いで、スケーリング処理部２０４によって、表示するアスペクト比に対応した信号となるように処理している。この後、タイミングコントローラ２０５を用いて、ソースドライバ３に入力されるソースドライバ用信号３１と、ゲートドライバ４に入力されるゲートドライバ用信号４１とを生成している。
【０００３】
ソースドライバ３は、図４に示したように、フレキシブル基板８ａ，８ｂに搭載されており、ソースドライバ用信号３１に基づいて液晶表示パネル１のソース線を駆動する。また、ゲートドライバ４は、画素電極や薄膜トランジスタ等が形成されたガラス基板５にＣＯＧ（Ｃｈｉｐ  Ｏｎ  Ｇｌａｓｓ）実装されており、ゲートドライバ用信号４１に基づいて液晶表示パネル１のゲート線を駆動する。
【０００４】
また、図５に示した電気的構成のうち、タイミングコントローラ２０５は、赤、緑、青の原色色信号のそれぞれのレベルを６ビットでもって示すようになっている。また、原色色信号のそれぞれ毎に、６ビットの信号の組を２組づつ出力する。すなわち、タイミングコントローラ２０５は、ソースドライバ用信号３１として、６ビットからなる信号の組を６組出力するようになっている。従って、デジタル信号のための経路が複雑化する。このため、入力切換部２０１、Ａ／Ｄ変換部２０２、ＴＶ信号処理部２０３、スケーリング処理部２０４、および、Ｙ／Ｃ分離部２０６を１つのＩＣ９１に集積化し、タイミングコントローラ２０５を、ＩＣ９１とは別のＩＣ９２に集積化している。
【０００５】
また、ＩＣ９１には、デジタル信号の影響によってＳ／Ｎ比が劣化しやすいアナログ映像信号が導かれている。一方、ＩＣ９２は、デジタル信号を出力する極めて多数の端子を備えている。このため、ＩＣ９１をプリント配線基板９１１に搭載するとともに、ＩＣ９２を、プリント配線基板９１１とは別途に設けられたプリント配線基板９２１に搭載し、ＩＣ９２から出力されるデジタル信号の経路を、ＩＣ９１に入力されるアナログ映像信号の経路から遠ざけることによって、アナログ映像信号のＳ／Ｎ比の劣化を回避している（第１の従来技術とする）。
【０００６】
また、以下に示す従来技術が提案されている（第２の従来技術とする）。すなわち、この技術においては、液晶表示パネルのコモン基板に対向するセグメント基板の形状を、液晶表示パネルの下方と右方との２つの方向において突出させている。そして、下方に突出させた部分に、セグメント電極に接続されたセグメント端子を設けている。また、右方に突出させた部分に、導電性粒子等からなる導通部材を介してコモン基板のコモン電極が接続されたコモン端子を設けている。その結果、コモン電極のための経路の配設領域の幅を相当に小さくできるため、液晶表示モジュールが小型化されることになる（例えば、特許文献１参照）。
【特許文献１】特開２００２−３２８３９１号公報（第０００９〜００１２段落）
【発明の開示】
【発明が解決しようとする課題】
【０００７】
しかしながら、第１の従来技術を用いる場合には、以下に示す問題が生じていた。すなわち、アナログ映像信号からソースドライバ用信号３１とゲートドライバ用信号４１とを生成するために、２つのＩＣ９１，９２を用いている。また、ＩＣ９２から出力されるデジタル信号の経路を、ＩＣ９１に入力されるアナログ映像信号の経路から遠ざけるため、ＩＣ９２を、ＩＣ９１が搭載されたプリント配線基板９１１とは別のプリント配線基板９２１に搭載している。従って、プリント配線基板９１１の面積とプリント配線基板９２１の面積とを合計した面積は、プリント配線基板９１１とプリント配線基板９２１とのそれぞれにＩＣ９１，９２が搭載されているため、比較的広い面積となっており、プリント配線基板９１１の面積とプリント配線基板９２１の面積との合計値が広くなっていることが、液晶表示装置を小型化しようするときの支障となっていた。
【０００８】
第２の従来技術は、対向する１対のガラス基板の一方にセグメント電極が形成され、他方にコモン電極が形成されたパッシブマトリクス方式に適用される技術となっている。このため、薄膜トランジスタが形成されたガラス基板の、互いに隣合う辺の一方にソース線が延長され、他方にゲート線が延長されるアクティブマトリクス方式の場合には、適用するときにも効果を得ることが困難な技術となっている。
【０００９】
本発明は上記の問題点を解決するために創案されたもので、その目的は、アナログ映像信号からソースドライバに入力される信号とゲートドライバに入力される信号とを生成する手段を１つの信号処理ＩＣの内部に集積化して小型化する場合において、映像信号のＳ／Ｎ比の劣化を防止することのでき、且つ、ソースドライバに入力される信号とゲートドライバに入力される信号との信号経路における断線等の不具合の発生率を低減することのできる液晶表示装置を提供することにある。
【００１０】
また本発明の目的は、アナログ映像信号からデータドライバに入力される信号とアドレスドライバに入力される信号とを生成する手段を１つの信号処理ＩＣの内部に集積化するとともに、信号処理ＩＣが搭載された基板における信号処理ＩＣの搭載位置を挟む２つのエリアの一方を、アナログ映像信号を伝送する経路のためのエリアとし、他方を、データドライバに入力される信号とアドレスドライバに入力される信号とを伝送する経路のためのエリアとすることにより、アナログ映像信号からデータドライバに入力される信号とアドレスドライバに入力される信号とを生成する手段を１つの信号処理ＩＣの内部に集積化して小型化する場合において、映像信号のＳ／Ｎ比の劣化を防止することのできる液晶表示装置を提供することにある。
【課題を解決するための手段】
【００１１】
上記の課題を解決するため、本発明に係る液晶表示装置は、画素電極と画素電極に対応する薄膜トランジスタとが形成されたガラス基板を有する液晶表示パネルと、ソースドライバ用信号に基づいて液晶表示パネルのソース線を駆動するソースドライバと、ゲートドライバ用信号に基づいて液晶表示パネルのゲート線を駆動するゲートドライバと、映像信号からソースドライバ用信号とゲートドライバ用信号とを生成する表示信号処理部と、映像信号が入力される映像信号入力端子と、ソースドライバ用信号とゲートドライバ用信号とが出力されるドライバ用信号出力端子とが設けられた主プリント配線基板とを備え、映像信号入力端子に入力される映像信号はアナログ映像信号となっており、ドライバ用信号出力端子から出力されるソースドライバ用信号とゲートドライバ用信号とはデジタル信号となっており、ソースドライバとゲートドライバとは主プリント配線基板とは異なる基板に設けられた液晶表示装置に適用している。そして、一方の端部がドライバ用信号出力端子に接続された伝送用フレキシブル基板と、非フレキシブル材からなり、伝送用フレキシブル基板の他方の端部が接続された分配用プリント配線基板とを備え、表示信号処理部は主プリント配線基板に搭載された１つの信号処理ＩＣの内部に集積化され、主プリント配線基板における信号処理ＩＣの搭載位置を挟んで位置する２つのエリアの一方は、映像信号入力端子に入力された映像信号を信号処理ＩＣに導くアナログ信号経路を形成するプリント配線パターンの主要部と前記アナログ信号経路を形成する素子の主要部とが設けられたアナログ用エリアとなっており、前記２つのエリアの他方は、信号処理ＩＣから出力されるソースドライバ用信号とゲートドライバ用信号とをドライバ用信号出力端子に導くデジタル信号経路を形成するプリント配線パターンの主要部と前記デジタル信号経路を形成する素子の主要部とが設けられたデジタル用エリアとなっており、ドライバ用信号出力端子から出力されたソースドライバ用信号は、伝送用フレキシブル基板と分配用プリント配線基板とを介してソースドライバに導かれ、ドライバ用信号出力端子から出力されたゲートドライバ用信号は、伝送用フレキシブル基板と分配用プリント配線基板とを介してゲートドライバに導かれている。
【００１２】
すなわち、主プリント配線基板における信号処理ＩＣの搭載位置を挟んで位置する２つのエリアは、互いに離れたエリアとなっている。従って、映像信号入力端子に入力された映像信号を信号処理ＩＣに導くアナログ信号経路を形成するプリント配線パターンの主要部と前記アナログ信号経路を形成する素子の主要部とが設けられたアナログ用エリアと、信号処理ＩＣから出力されるソースドライバ用信号とゲートドライバ用信号とをドライバ用信号出力端子に導くデジタル信号経路を形成するプリント配線パターンの主要部と前記デジタル信号経路を形成する素子の主要部とが設けられたデジタル用エリアとは、互いに離れた位置関係となる。従って、ソースドライバ用信号の経路とゲートドライバ用信号の経路とから発生するノイズがアナログ映像信号の経路に与える影響は微少となる。また、分配用プリント配線基板は、非フレキシブル材からなる基板であるため、基板面積が比較的広くなるときにも、断線等の不具合の発生が少ない。
【００１３】
また本発明に係る液晶表示装置は、画素電極と画素電極に対応する薄膜トランジスタとが形成されたガラス基板を有する液晶表示パネルと、データドライバ用信号に基づいて液晶表示パネルのＸ方向に並ぶデータ線を駆動するデータドライバと、アドレスドライバ用信号に基づいて液晶表示パネルのＹ方向に並ぶアドレス線を駆動するアドレスドライバと、映像信号からデータドライバ用信号とアドレスドライバ用信号とを生成する表示信号処理部と、映像信号が入力される映像信号入力端子と、データドライバ用信号とアドレスドライバ用信号とが出力されるドライバ用信号出力端子とが設けられた主プリント配線基板とを備え、映像信号入力端子に入力される映像信号はアナログ映像信号となっており、ドライバ用信号出力端子から出力されるデータドライバ用信号とアドレスドライバ用信号とはデジタル信号となっており、データドライバとアドレスドライバとは主プリント配線基板とは異なる基板に設けられた液晶表示装置に適用している。そして、表示信号処理部は主プリント配線基板に搭載された１つの信号処理ＩＣの内部に集積化され、主プリント配線基板における信号処理ＩＣの搭載位置を挟んで位置する２つのエリアの一方は、映像信号入力端子に入力された映像信号を信号処理ＩＣに導くアナログ信号経路を形成するプリント配線パターンの主要部と前記アナログ信号経路を形成する素子の主要部とが設けられたアナログ用エリアとなっており、前記２つのエリアの他方は、信号処理ＩＣから出力されるデータドライバ用信号とアドレスドライバ用信号とをドライバ用信号出力端子に導くデジタル信号経路を形成するプリント配線パターンの主要部と前記デジタル信号経路を形成する素子の主要部とが設けられたデジタル用エリアとなっている。
【００１４】
すなわち、主プリント配線基板における信号処理ＩＣの搭載位置を挟んで位置する２つのエリアは、互いに離れたエリアとなっている。従って、映像信号入力端子に入力された映像信号を信号処理ＩＣに導くアナログ信号経路を形成するプリント配線パターンの主要部と前記アナログ信号経路を形成する素子の主要部とが設けられたアナログ用エリアと、信号処理ＩＣから出力されるデータドライバ用信号とアドレスドライバ用信号とをドライバ用信号出力端子に導くデジタル信号経路を形成するプリント配線パターンの主要部と前記デジタル信号経路を形成する素子の主要部とが設けられたデジタル用エリアとは、互いに離れた位置関係となる。従って、データドライバ用信号の経路とアドレスドライバ用信号の経路とから発生するノイズがアナログ映像信号の経路に与える影響は微少となる。
【発明の効果】
【００１５】
本発明における液晶表示装置では、映像信号入力端子に入力された映像信号を信号処理ＩＣに導くアナログ信号経路を形成するプリント配線パターンの主要部と前記アナログ信号経路を形成する素子の主要部とが設けられたアナログ用エリアと、信号処理ＩＣから出力されるソースドライバ用信号とゲートドライバ用信号とをドライバ用信号出力端子に導くデジタル信号経路を形成するプリント配線パターンの主要部と前記デジタル信号経路を形成する素子の主要部とが設けられたデジタル用エリアとは、互いに離れた位置関係となっている。従って、ソースドライバ用信号の経路とゲートドライバ用信号の経路とから発生するノイズがアナログ映像信号の経路に与える影響は微少となる。また、分配用プリント配線基板は、基板面積が比較的広くなるときにも、断線等の不具合の発生が少ない非フレキシブル材からなっている。このため、アナログ映像信号からソースドライバに入力される信号とゲートドライバに入力される信号とを生成する手段を１つの信号処理ＩＣの内部に集積化して小型化する場合において、映像信号のＳ／Ｎ比の劣化を防止することができ、且つ、ソースドライバに入力される信号とゲートドライバに入力される信号との信号経路における断線等の不具合の発生率を低減することができる。
【００１６】
また本発明における液晶表示装置では、映像信号入力端子に入力された映像信号を信号処理ＩＣに導くアナログ信号経路を形成するプリント配線パターンの主要部と前記アナログ信号経路を形成する素子の主要部とが設けられたアナログ用エリアと、信号処理ＩＣから出力されるデータドライバ用信号とアドレスドライバ用信号とをドライバ用信号出力端子に導くデジタル信号経路を形成するプリント配線パターンの主要部と前記デジタル信号経路を形成する素子の主要部とが設けられたデジタル用エリアとは、互いに離れた位置関係となっている。従って、データドライバ用信号の経路とアドレスドライバ用信号の経路とから発生するノイズがアナログ映像信号の経路に与える影響は微少となるので、アナログ映像信号からソースドライバに入力される信号とゲートドライバに入力される信号とを生成する手段を１つの信号処理ＩＣの内部に集積化して小型化する場合において、映像信号のＳ／Ｎ比の劣化を防止することができる。
【発明を実施するための最良の形態】
【００１７】
以下、本発明の実施の形態について図を参照して説明する。
【００１８】
図３は、本発明に係る液晶表示装置の一実施形態の電気的構成を示すブロック線図であって、テレビ受像機に設けられた表示装置を示しており、図５に示す従来技術と同一となるブロックには、図５における符号と同一符号を付与している。
【００１９】
図において、入力切換部２０１には、コンポジット映像信号ＣＯＭＰ、輝度信号Ｙ／Ｃ−Ｙと色信号Ｙ／Ｃ−ＣとからなるＳ映像信号、輝度信号Ｙと２つの色差信号Ｐｂ，Ｐｒとからなる映像信号の３種のアナログ映像信号２５が導かれており、３種のアナログ映像信号２５のうちの１種類のアナログ映像信号をＡ／Ｄ変換部２０２に出力する。Ａ／Ｄ変換部２０２は、入力切換部２０１から出力されるアナログ映像信号をＡ／Ｄ変換し、ＴＶ信号処理部２０３に出力する。
【００２０】
なお、入力切換部２０１から出力されたアナログ映像信号がコンポジット映像信号ＣＯＭＰである場合、Ａ／Ｄ変換部２０２は、Ａ／Ｄ変換した信号をＹ／Ｃ分離部２０６に出力して、輝度信号と色信号とに分離した後、分離した輝度信号と色信号とをＴＶ信号処理部２０３に出力させる。
【００２１】
ＴＶ信号処理部２０３は、Ａ／Ｄ変換部２０２より出力される信号、あるいは、Ｙ／Ｃ分離部２０６より出力される信号から３つの原色色信号を生成し、スケーリング処理部２０４に出力する。スケーリング処理部２０４は、ＴＶ信号処理部２０３から出力される原色色信号を、表示するアスペクト比に対応した信号となるように処理し、タイミングコントローラ２０５に出力する。
【００２２】
タイミングコントローラ２０５は、スケーリング処理部２０４より出力される信号から、ソースドライバ（データドライバ）３に入力される信号であるソースドライバ用信号（データドライバ用信号）３１と、ゲートドライバ（アドレスドライバ）４に入力される信号であるゲートドライバ用信号（アドレスドライバ用信号）４１とを生成する。
【００２３】
なお、ソースドライバ用信号３１においては、原色色信号のそれぞれは、６ビットの信号によってレベルが示されるようになっている。また、原色色信号のそれぞれは、奇数ライン用の６ビットの信号の組と、偶数ライン用の６ビットの信号の組とでもって示されるようになっている。
【００２４】
つまり、ソースドライバ用信号３１は、奇数ラインの赤色を示す６ビットの信号、偶数ラインの赤色を示す６ビットの信号、奇数ラインの緑色を示す６ビットの信号、偶数ラインの緑色を示す６ビットの信号、奇数ラインの青色を示す６ビットの信号、偶数ラインの青色を示す６ビットの信号の、合計３６ビットの信号によって構成されている（３６本の信号線によって、原色色信号のレベルが示されるようになっている）。また、ソースドライバ用信号３１は、原色色信号の他に、制御信号とクロック信号とを含んでいる。一方、ゲートドライバ用信号４１は、制御信号とクロック信号とにより構成されている。
【００２５】
ここで、入力切換部２０１に入力されるアナログ映像信号２５の経路について説明すると、６つの経路（コンポジット映像信号ＣＯＭＰの経路、輝度信号Ｙ／Ｃ−Ｙの経路、色信号Ｙ／Ｃ−Ｃの経路、輝度信号Ｙの経路、色差信号Ｐｂの経路、色差信号Ｐｒの経路）のそれぞれには、直流成分を除去するコンデンサＣ１が挿入されている。また、入力切換部２０１の内部に設けられた入力用アンプ（図示を省略）のアナログ用電源Ｐ＋の経路のそれぞれには、低い周波数成分を除去するためのコンデンサＣ２と、高い周波数成分を除去するためのコンデンサＣ３とが接続されている。
【００２６】
また、ソースドライバ用信号３１の経路のそれぞれには、不要輻射を低減するために、インダクタＬ１と抵抗Ｒ１とが挿入されている。また、ゲートドライバ用信号４１の経路のそれぞれには、不要輻射を低減するために、インダクタＬ２と抵抗Ｒ２とが挿入されている。
【００２７】
図１は、実施形態の構成の概略を示す説明図であり、図４に示した従来技術と同一となるブロックについては、図４における符号と同一符号を付与している。また、図２は、ガラス基板に形成された画素電極と薄膜トランジスタとを示す説明図である。なお、以下における説明では、プリント配線パターンについては、単にパターンと称する。
【００２８】
平面視が長方形状の液晶表示パネル１は、アクティブマトリクス方式の表示パネルとなっており、液晶を挟んで対向する２枚のガラス基板を備えている。また、この２枚のガラス基板のうち、一方のガラス基板５は、図１における左側と上部側とにおいて、表示パネル部１の本体１０１から突出する大きさに形成されている。
【００２９】
そして、ガラス基板５における上部側の突出部５０１には、ソースドライバ３が搭載されたフレキシブル基板（ＴＡＢ）８ａ，８ｂが接続されている。また、ガラス基板５における左側の突出部５０２には、単結晶シリコンからなるＩＣチップに集積化されたゲートドライバ４がＣＯＧ（Ｃｈｉｐ  Ｏｎ  Ｇｌａｓｓ）実装されている。
【００３０】
また、ガラス基板５には、液晶表示パネル１の表示エリア１０２と重なる範囲において、格子状に並ぶ画素電極１２が形成されている。且つ、画素電極１２のそれぞれに対応する薄膜トランジスタ１３が、アモルファスシリコンを用いて形成されている。また、２枚のガラス基板のうちの他方（図示を省略）は、平面形状が、液晶表示パネル１の本体１０１と略同一の大きさとなっていて、ガラス基板５に対向する面にはコモン電極が形成されている。
【００３１】
なお、薄膜トランジスタ１３のソースに接続されたソース線１４Ｘは、請求項記載の液晶表示パネル１のＸ方向に並ぶデータ線となっており、ソースドライバ３によって駆動される。また、薄膜トランジスタ１３のゲートに接続されたゲート線１４Ｙは、請求項記載の液晶表示パネル１のＹ方向に並ぶアドレス線となっており、ゲートドライバ４によって駆動される。
【００３２】
主プリント配線基板６の略中央に搭載された信号処理ＩＣ２は、図３に示す入力切換部２０１、Ａ／Ｄ変換部２０２、ＴＶ信号処理部２０３、スケーリング処理部２０４、タイミングコントローラ２０５、および、Ｙ／Ｃ分離部２０６からなるブロック（請求項記載の映像信号からソースドライバ用信号（データドライバ用信号）とゲートドライバ用信号（アドレスドライバ用信号）とを生成する表示信号処理部）が集積化されたＩＣとなっている。そして、信号処理ＩＣ２の辺２１１に沿っては、アナログ映像信号２５の入力端子が設けられている。また、辺２１２，２１３に沿っては、ソースドライバ用信号３１の出力端子とゲートドライバ用信号４１の出力端子とが設けられている（これらの入力端子および出力端子については図示が省略されている）。
【００３３】
また、主プリント配線基板６の図における上部側の縁近傍の左側には、図３に示した３種のアナログ映像信号２５が入力される映像信号入力端子６０１（以下では、単に入力端子６０１と称する）が設けられている。また、主プリント配線基板６の下方の縁近傍であって、図の左右方向における中央付近には、ソースドライバ用信号３１とゲートドライバ用信号４１とが出力されるドライバ用信号出力端子６０２，６０３（以下では、単に出力端子６０２，６０３と称する）が設けられている。
【００３４】
なお、主プリント配線基板６における信号処理ＩＣ２の搭載位置を挟んで位置する２つのエリア６１，６２のうちの一方のエリア６１は、入力端子６０１に入力されたアナログ映像信号２５を信号処理ＩＣ２に導くアナログ信号経路を形成するパターン（図３の破線２１により囲まれた経路を形成するパターン）の主要部と、前記アナログ信号経路を形成する素子（コンデンサＣ１）と、アナログ用電源Ｐ＋の経路に接続されたコンデンサＣ２，Ｃ３とが設けられたアナログ用エリアとなっている（破線６０１１は、アナログ映像信号の経路の１つを示している）。
【００３５】
また、２つのエリア６１，６２のうちの他方のエリア６２は、信号処理ＩＣ２から出力されるソースドライバ用信号３１とゲートドライバ用信号４１とを出力端子６０２，６０３に導くデジタル信号経路を形成するパターン（図３の破線２２により囲まれた経路を形成するパターン）の主要部と、前記デジタル信号経路を形成する素子（インダクタＬ１，Ｌ２と抵抗Ｒ１，Ｒ２）の主要部とが設けられたデジタル用エリアとなっている（６０３１は、ソースドライバ用信号３１の経路の１つを示している）。
【００３６】
伝送用フレキシブル基板６０４は、信号処理ＩＣ２において生成され、デジタル用エリアを介して出力端子６０２，６０３に導かれたソースドライバ用信号３１とゲートドライバ用信号４１とを、分配用プリント配線基板７に導くための経路を形成する。このため、一方の端部が出力端子６０２，６０３に接続され、他方の端部が分配用プリント配線基板７に接続された伝送用パターン（図示を省略）が形成されている。
【００３７】
分配用プリント配線基板７は、ガラスエポキシからなる非フレキシブルなプンリト配線基板となっており、伝送用フレキシブル基板６０４を介して導かれたソースドライバ用信号３１を５つのソースドライバ３に分配するための分配用パターン（図示を省略）が形成されている。また、伝送用フレキシブル基板６０４を介して導かれたゲートドライバ用信号４１をフレキシブル基板８ａに導くための伝送用パターンが形成されている（ゲートドライバ用信号４１は、フレキシブル基板８ａを介して、ガラス基板５に導かれる）。
【００３８】
上記構成からなる実施形態の作用について説明する。
【００３９】
アナログ映像信号２５からソースドライバ用信号３１とゲートドライバ用信号４１とを生成するための信号処理を行うブロック（入力切換部２０１、Ａ／Ｄ変換部２０２、ＴＶ信号処理部２０３、スケーリング処理部２０４、タイミングコントローラ２０５、および、Ｙ／Ｃ分離部２０６からなるブロック）は、信号処理ＩＣ２という１つのＩＣの内部に集積化されている。このため、前記信号処理を行うブロックを２つのＩＣに分けて集積化していた場合に比すると、前記信号処理を行うブロックを搭載するのに必要となる基板面積は小さくなる。従って、主プリント配線基板６の面積と分配用プリント配線基板７の面積とを合計した面積は、従来技術におけるプリント配線基板９１１の面積とプリント配線基板９２１の面積とを合計した面積より小さくなる。
【００４０】
また、アナログ映像信号の経路の主要部はアナログ用エリア６１に位置し、ソースドライバ用信号３１とゲートドライバ用信号４１との経路の主要部はデジタル用エリア６２に位置している。そして、アナログ用エリア６１とデジタル用エリア６２とは、信号処理ＩＣ２を挟んで位置しているので、アナログ用エリア６１とデジタル用エリア６２とは、互いに離れた位置関係となっている。このため、ソースドライバ用信号３１とゲートドライバ用信号４１との経路から発生するノイズが、アナログ映像信号２５の経路に与える影響は、極めて微少となっている。
【００４１】
また、分配用プリント配線基板７は、非フレキシブルな基板となっているので、基板面積が比較的広くなるときにも、フレキシブル基板に比するときには、断線等の不具合の発生が少ない。このため、ソースドライバ３が搭載されたフレキシブル基板８ａ，８ｂの面積を広くして、フレキシブル基板８ａ，８ｂを、直接に出力端子６０２，６０３に導く構成に比した場合には、断線等の不具合の発生率を低減することが可能になっている。
【図面の簡単な説明】
【００４２】
【図１】本発明に係る液晶表示装置の一実施形態の構成の概略を示す説明図である。
【図２】ガラス基板に形成された画素電極と薄膜トランジスタとを示す説明図である。
【図３】実施形態の電気的構成を示すブロック線図である。
【図４】従来技術の構成の概略を示す説明図である。
【図５】従来技術の電気的構成を示すブロック線図である。
【符号の説明】
【００４３】
１  液晶表示パネル
２  信号処理ＩＣ
３  ソースドライバ（データドライバ）
４  ゲートドライバ（アドレスドライバ）
５  ガラス基板
６  主プリント配線基板
７  分配用プリント配線基板
１２  画素電極
１３  薄膜トランジスタ
２５  アナログ映像信号
３１  ソースドライバ用信号
４１  ゲートドライバ用信号
６１  アナログ用エリア
６２  デジタル用エリア
６０１  映像信号入力端子
６０２，６０３  ドライバ用信号出力端子
６０４  伝送用フレキシブル基板
６０１１  アナログ映像信号の経路
６０３１  ソースドライバ用信号の経路
【図１】
2005227307.tif 000003
【図２】
2005227307.tif 000004
【図３】
2005227307.tif 000005
【図４】
2005227307.tif 000006
【図５】
2005227307.tif 000007